(57)【要約】【課題】  車載用除菌装置を設置したときの車内空間の圧迫感を緩和することができ、かつ車内空間が広い場合の除菌能力の不足に容易に対応できるようにする。【解決手段】  車載用除菌イオン装置１１は、車両内の除菌を行う除菌手段が筐体に設けられている。この車載用除菌イオン装置１１は、他の車載用除菌イオン装置１１との間にて接続ケーブル１２を着脱可能に接続するために、電源供給線に設けられた雌雄コネクタの一方と嵌合する雌雄コネクタの他方（ＤＣ供給部１）が筐体に設けられている。【選択図】  図１
2005296287.tif 000002
【特許請求の範囲】
【請求項１】
車両内の除菌を行う除菌手段が筐体に設けられている車載用除菌装置において、
他の車載用除菌装置との間にて電源供給線を着脱可能に接続するために、電源供給線に設けられた雌雄コネクタの一方と嵌合する雌雄コネクタの他方が前記筐体に設けられていることを特徴とする車載用除菌装置。
【請求項２】
車両内の除菌を行う除菌手段が筐体に設けられている車載用除菌装置において、
警報を発する警報手段と、検出信号を放射する送信手段と、前記検出信号の反射波を受信する受信手段と、前記受信手段から得た前記反射波の受信信号に基づいて、車内への侵入の有無を判定し、侵入有りと判定した場合に、前記警報装置を作動させる制御手段とが前記筐体に設けられていることを特徴とする車載用除菌装置。
【請求項３】
発光体からなり、平常時用表示とこの表示とは異なる威嚇用表示とが可能な威嚇点灯手段が前記筐体の外面に設けられ、前記制御手段は、侵入有りと判定した場合に、前記威嚇点灯手段に威嚇用表示を行わせることを特徴とする請求項２に記載の車載用除菌装置。
【請求項４】
前記除菌手段はＡＣ電源およびＤＣ電源により使用可能であり、前記筐体の外面にはプラグ収納凹部が形成され、このプラグ収納凹部には、回転動作によりプラグ収納凹部から進退可能にＡＣプラグが設けられていることを特徴とする請求項３に記載の車載用除菌装置。
【請求項５】
前記筐体に前記除菌手段の電源となる電池を収納する電池収納部が設けられていることを特徴とする請求項４に記載の車載用除菌装置。
【請求項６】
車両内の除菌を行う除菌手段が筐体に設けられている車載用除菌装置において、
前記除菌手段は、除菌用のイオンを発生するイオン発生手段と、筐体外部のイオン量を検出するイオン量検出手段と、このイオン量検出手段での検出結果に基づいて、前記イオン発生手段からのイオン発生量を制御する制御手段とを備えていることを特徴とする車載用除菌装置。
【請求項７】
複数のＬＥＤからなるＬＥＤ電光部と、このＬＥＤ電光部の表示動作を制御する制御手段とを備えていることを特徴とする請求項６に記載の車載用除菌装置。
【請求項８】
車両内の除菌を行う除菌手段が筐体に設けられている車載用除菌装置において、
エレクトロルミネッセンスパネルを使用してロゴ表示を行う表示手段が前記筐体に設けられていることを特徴とする車載用除菌装置。
【請求項９】
車両内の除菌を行う除菌手段が筐体に設けられている車載用除菌装置において、
上面部にドリンク容器を載置可能な凹部状の容器載置部が形成されていることを特徴とする車載用除菌装置。
【請求項１０】
車両内の除菌を行う除菌手段が筐体に設けられている車載用除菌装置において、
投影レンズ部が前記筐体の天壁部に設けられ、前記投影レンズ部によってプラネタリウムの投影を前記筐体外部に行うプラネタリウム投影装置が前記筐体内に設けられていることを特徴とする車載用除菌装置。
【請求項１１】
前記筐体に、カード状記憶手段を挿入するための挿入部と、この挿入部に挿入されたカード状記憶手段が記憶している情報を読み取る読取り手段とが設けられ、前記制御手段は、前記読取り手段にて読み取られた情報に基づいて前記ＬＥＤ電光部の表示動作を制御することを特徴とする請求項７に記載の車載用除菌装置。
【発明の詳細な説明】
【技術分野】
【０００１】
本発明は、車載用除菌イオンユニットなどの車載用除菌装置に関するものである。
【背景技術】
【０００２】
従来、乗用車等の車両に搭載され、車内の除菌を行うものとして車載用除菌装置が知られている。この車載用除菌装置の一例は、例えば特開２００１−１７０１４４号公報に開示されている。
【０００３】
上記公報に記載の車載用除菌装置は、外形が円柱形であり、円筒状の筐体の内部に、ファン、フィルタ、光触媒および消臭剤等の部材が設けられ、前記ファンにより空気を装置内部に吸引し、装置内部にて空気を浄化し、その空気を前記ファンにより装置外部へ排出するようになっている。
【０００４】
車載用除菌装置には、他の例として、車載用除菌イオン装置が知られている。この車載用除菌イオン装置は、従来周知のように、内部に設けられているイオン発生パネルに電流を流し、その周辺雰囲気の空気をイオン発生パネルに取り込んで通過させることにより、バランスよくプラスイオンとマイナスイオンを発生させ、これらによって除菌を行うものである。このような車載用除菌イオン装置の斜視図を図２９に示す。
【０００５】
同図に示す車載用除菌イオン装置２０１は、通常、車内に設けられたドリンクホルダに設置され、上面がイオン放出部２０２となっている。ドリンクホルダは、例えば缶コーヒーやお茶のペットボトルを受けるための凹部を有するものである。したがって、このようなドリンクホルダに設置される車載用除菌イオン装置２０１は、ドリンクホルダの凹部の内径に合わせて外径が設定される。
【０００６】
また、車載用除菌イオン装置２０１には、電源の供給を受けるために、例えば車両用のＤＣプラグ２０３が設けられ、さらに、ＡＣ電源を使用可能とする場合には、ＡＣプラグ２０４が設けられている。
【特許文献１】特開２００１−１７０１４４号公報（平成１３年６月２６日公開）
【発明の開示】
【発明が解決しようとする課題】
【０００７】
車載用除菌イオン装置２０１は、大型の形状とした場合、その大きさに合わせて能力を比較的大きなものとし易い。しかしながら、大型の車載用除菌イオン装置２０１はその存在感により車内空間を圧迫する印象を与えることになる。また、近年数量が増加している例えば大型のワンボックスカーでは、車内空間が広いため、１台のみの車載用除菌イオン装置２０１では十分に除菌できないという問題も招来している。
【０００８】
本発明は、上記の問題点に鑑みてなされたものであり、その目的は、車内空間の圧迫感を緩和することができ、かつ車内空間が広い場合の除菌能力の不足に容易に対応することができる車載用除菌装置を実現することにある。
【課題を解決するための手段】
【０００９】
上記の課題を解決するため、本発明の車載用除菌装置は、車両内の除菌を行う除菌手段が筐体に設けられている車載用除菌装置において、他の車載用除菌装置との間にて電源供給線を着脱可能に接続するために、電源供給線に設けられた雌雄コネクタの一方と嵌合する雌雄コネクタの他方が前記筐体に設けられていることを特徴としている。
【００１０】
上記の構成によれば、車載用除菌装置は、電源供給線を使用して他の車載用除菌装置と容易接続することができる。したがって、車内空間が広い場合など、１台の車載用除菌装置では除菌能力が不足する場合に、この状況に対して複数台を電源供給線にて容易に接続し、容易に対応することができる。また、このように複数台を容易に接続できるので、車載用除菌装置を小型に形成しておくことができ、これによって複数台の車載用除菌装置を車内に配置した場合であっても車内空間の圧迫感を緩和することができる。
【００１１】
また、本発明の車載用除菌装置は、車両内の除菌を行う除菌手段が筐体に設けられている車載用除菌装置において、警報を発する警報手段と、検出信号を放射する送信手段と、前記検出信号の反射波を受信する受信手段と、前記受信手段から得た前記反射波の受信信号に基づいて、車内への侵入の有無を判定し、侵入有りと判定した場合に、前記警報装置を作動させる制御手段とが前記筐体に設けられていることを特徴としている。
【００１２】
上記の構成によれば、車載用除菌装置にセキュリティ機能を付与することができるので、車内において車載用除菌装置とセキュリティ装置とのそれぞれ専用の配置場所を確保する必要がない。したがって、車載用除菌装置とセキュリティ装置とのそれぞれ専用の配置場所を確保するために車内スペースが犠牲になる事態や、それぞれの設置が困難になる事態を回避することができる。
【００１３】
上記の車載用除菌装置において、発光体からなり、平常時用表示とこの表示とは異なる威嚇用表示とが可能な威嚇点灯手段が前記筐体の外面に設けられ、前記制御手段は、侵入有りと判定した場合に、前記威嚇点灯手段に威嚇用表示を行わせる構成としてもよい。
【００１４】
上記の構成によれば、侵入者に対して視覚的に威嚇することができるので、セキュリティ機能をさらに高めることができる。
【００１５】
上記の車載用除菌装置において、前記除菌手段はＡＣ電源およびＤＣ電源により使用可能であり、前記筐体の外面にはプラグ収納凹部が形成され、このプラグ収納凹部には、回転動作によりプラグ収納凹部から進退可能にＡＣプラグが設けられている構成としてもよい。
【００１６】
上記の構成によれば、ＡＣプラグを直接ＡＣコンセント差し込むことにより、車載用除菌装置をＡＣコンセントに配置することができるので、車載用除菌装置は、家屋内においてＡＣコードを引き回すことなく、即ち特に設置場所をとらずに設置可能である。
【００１７】
上記の車載用除菌装置は、前記筐体に前記除菌手段の電源となる電池を収納する電池収納部が設けられている構成としてもよい。
【００１８】
上記の構成によれば、場所を選ばず、また電源コートを引き回すことなく、車載用除菌装置を使用可能である。
【００１９】
また、本発明の車載用除菌装置は、車両内の除菌を行う除菌手段が筐体に設けられている車載用除菌装置において、前記除菌手段は、除菌用のイオンを発生するイオン発生手段と、筐体外部のイオン量を検出するイオン量検出手段と、このイオン量検出手段での検出結果に基づいて、前記イオン発生手段からのイオン発生量を制御する制御手段とを備えていることを特徴としている。
【００２０】
上記の構成によれば、車載用除菌装置から最適なイオン量を供給し、適切な除菌を行うことができる。
【００２１】
上記の車載用除菌装置は、複数のＬＥＤからなるＬＥＤ電光部と、このＬＥＤ電光部の表示動作を制御する制御手段とを備えている構成としてもよい。
【００２２】
上記の構成によれば、使用者の好みの表示をＬＥＤ電光部に行わせることにより、車室内の雰囲気を快適なものとすることができる。また、夜間の駐車状態においては、ＬＥＤ電光部での表示により、自分の車の所在が一目瞭然となる。
【００２３】
また、本発明の車載用除菌装置は、車両内の除菌を行う除菌手段が筐体に設けられている車載用除菌装置において、エレクトロルミネッセンスパネルを使用してロゴ表示を行う表示手段が前記筐体に設けられていることを特徴としている。
【００２４】
上記の構成によれば、表示手段に会社名などのロゴ表示を行わせれば、宣伝効果が得られる。
【００２５】
本発明の車載用除菌装置は、車両内の除菌を行う除菌手段が筐体に設けられている車載用除菌装置において、上面部にドリンク容器を載置可能な凹部状の容器載置部が形成されていることを特徴としている。
【００２６】
上記の構成によれば、車載用除菌装置を車内に設けられたドリンクホルダに配置した場合であっても、車載用除菌装置の容器載置部によってドリンク容器の載置部を確保可能である。
【００２７】
本発明の車載用除菌装置は、車両内の除菌を行う除菌手段が筐体に設けられている車載用除菌装置において、投影レンズ部が前記筐体の天壁部に設けられ、前記投影レンズ部によってプラネタリウムの投影を前記筐体外部に行うプラネタリウム投影装置が前記筐体内に設けられていることを特徴としている。
【００２８】
上記の構成によれば、車載用除菌装置は、単に車内を除菌するだけでなく、室内の空間を利用して星座を表示することができ、娯楽装置あるいは学習装置としても利用可能である。
【００２９】
上記の車載用除菌装置において、前記筐体に、カード状記憶手段を挿入するための挿入部と、この挿入部に挿入されたカード状記憶手段が記憶している情報を読み取る読取り手段とが設けられ、前記制御手段は、前記読取り手段にて読み取られた情報に基づいて前記ＬＥＤ電光部の表示動作を制御する構成としてもよい。
【００３０】
上記の構成によれば、ＬＥＤ電光部での表示情報を使用者がメモリカードおよびパソコンを使用して編集することができるので、ＬＥＤ電光部において使用者が所望の表示をさらに適切に行うことができる。
【発明の効果】
【００３１】
以上のように、本発明の車載用除菌装置は、電源供給線に設けられた雌雄コネクタの一方と嵌合する雌雄コネクタの他方が前記筐体に設けられている構成である。これにより、車内空間が広い場合など、１台の車載用除菌装置では除菌能力が不足する場合に、この状況に対して複数台を電源供給線にて容易に接続し、容易に対応することができる。また、このように複数台を容易に接続できるので、車載用除菌装置を小型に形成しておくことができ、これによって複数台の車載用除菌装置を車内に配置した場合であっても車内空間の圧迫感を緩和することができる。
【発明を実施するための最良の形態】
【００３２】
〔実施の形態１〕
本発明の実施の形態の車載用除菌装置を図面に基づいて以下に説明する。
図１は、本発明の実施の形態の車載用除菌イオン装置１１を示す斜視図である。同図に示すように、本実施の形態において、車載用除菌イオン装置１１は２台が接続ケーブル（電源供給線）１２にて互いに接続されている。なお、車載用除菌イオン装置１１の接続台数は、２台に限定されることなく、その設置場所において要求される能力に応じて適宜設定することができる。
【００３３】
図２は、車載用除菌イオン装置１１の内部構造を示す斜視図である。図２に示すように、車載用除菌イオン装置１１は、下部にファンモータ２が設けられ、その上にイオン発生部（除菌手段）３が設けられ、その上にイオン量検知センサ（イオン量検出手段）５が設けられている。
【００３４】
ファンモータ２は、外部の空気を筐体の底壁部もしくは周壁部の下部に形成された空気取り込み部（図示せず）から取り込み、その空気を上方へ吹き上げる。イオン発生部３は除菌用のイオンを発生し、発生されたイオン６は、ファンモータ２が送り出す風によって上方へ吹き上げられ、天壁部に形成されたイオン放出部７から車内へ放出される。このイオン放出部７は例えば筐体の天壁部に形成されたスリット状の切欠き部からなる。
【００３５】
イオン発生部３は、高圧発生装置８（図３参照）およびイオン発生パネル９を備え、高圧発生装置８にて発生する高電圧により、イオン発生パネル９がイオンを発生する構成である。イオン発生部３が発生するイオン量はイオン量検知センサ５にて検出され、その検出結果に基づいて、イオン量制御ユニット（制御手段）４がイオン発生部３からのイオン発生量を制御する。
【００３６】
ファンモータ２、イオン発生部３およびイオン量制御ユニット４へはＤＣ供給部１から駆動電圧が供給される。このＤＣ供給部１は、例えば、接続ケーブル１２のＤＣ供給用のプラグ（雌雄コネクタ）と接続可能なジャック（雌雄コネクタ）からなる。
【００３７】
図３は、車載用除菌イオン装置１１の電気系統の構成を示すブロック図である。図３に示すように、各車載用除菌イオン装置１１は、ＤＣ供給部１、ファンモータ２、高圧発生装置８、イオン量制御ユニット４およびイオン量検知センサ５を備えている。
【００３８】
高圧発生装置８は前記イオン発生部３に設けられており、高圧発生装置８が発生する高電圧によりイオン発生パネル９からイオンが発生する。したがって、イオン量制御ユニット４は、イオン発生部３が発生するイオン量を制御するために、高圧発生装置８に与える電流量を制御している。具体的には、高圧発生装置８に与えるために、トランスにて変圧され、ダイオードにて整流された電流量を制御している。
【００３９】
また、各車載用除菌イオン装置１１（本実施の形態においては２台の車載用除菌イオン装置１１）のＤＣ供給部１は、前記接続ケーブル１２によって互いに接続されるとともに、ＡＣＣ１３（車内に備えられているアクセサリーソケット）に接続されている。このＡＣＣ１３は、車両の電子機器を稼動させるための電源である。
【００４０】
上記の構成によれば、２台の車載用除菌イオン装置１１を接続ケーブル１２にて互いに接続し、２倍のパワーを得ることができるようにしている。この場合、２台の車載用除菌イオン装置１１の設置には２個のドリンクホルダを使用すればよい。
【００４１】
また、２台の車載用除菌イオン装置１１が接続ケーブル１２にて互いに接続されている構成において、イオン量がほぼ車室内に行き渡っており、車載用除菌イオン装置１１としてはそのときのイオン量を維持する程度のパワーで済む場合には、１台のみ運転させるようにしてもよい。
【００４２】
この場合には、例えば、２台の車載用除菌イオン装置１１の少なくとも一方に、その車載用除菌イオン装置１１のみの作動をオン／オフさせるための電源スイッチを設けておき、そのスイッチを使用者がオン／オフするようにしてもよい。
【００４３】
なお、イオン量がほぼ車室内に行き渡っていることを使用者が知るための構成としては、イオン量検知センサ５での検知結果に基づいて、イオン量制御ユニット４が上記状態（イオン量がほぼ車室内に行き渡っている状態）か否かを判定し、上記状態と判定したとき、そのことを例えば図示しない表示部に表示して使用者に報知する構成とすることができる。なお、上記判定を行うために、イオン量検知センサ５は、プラスイオン濃度およびマイナスイオン濃度を瞬時に検知できるイオンカウンタを備え、イオン量制御ユニット４はイオンカウンタによるカウント値と所定のしきい値とを比較し、カウント値がしきい値以上である場合に、イオン量がほぼ車室内に行き渡っていると判定する演算装置（ＩＣ等の集積回路からなるもの）を備えた構成としてもよい。
【００４４】
また、本実施の形態では、車載用除菌イオン装置１１が車載用電源を供給し合うための接続ケーブル１２を接続するためのＤＣ供給部１、即ち接続ケーブル１２のプラグを抜き差し可能なジャックとしてのＤＣ供給部１を備えている。したがって、例えば２台の車載用除菌イオン装置１１を互いにケーブルにて接続した場合に、余分になった一方の車載用除菌イオン装置１１のケーブルをそのまま放置しなければならないような事態を回避可能である。
【００４５】
また、大型のワンボックスカーなど、広い車内の除菌を行う場合には、小型の車載用除菌イオン装置１１を複数台接続することにより対応可能であるから、大型の車載用除菌イオン装置を１台設置する場合よりも圧迫感が少なく、快適な車内空間を維持することができる。この場合、車載用除菌イオン装置１１の小型化は、高圧発生装置８においては実装部品をほとんどチップ部品化、ＩＣモジュール化することにより実現可能である。
【００４６】
〔実施の形態２〕
図４は、本実施の形態の車載用除菌イオン装置２１を示す斜視図である。この車載用除菌イオン装置２１は、除菌に関する構成として前記車載用除菌イオン装置１１と同様の構成を有する。この車載用除菌イオン装置２１には、さらにセキュリティ機能が付加されており、図５に示すセキュリティ装置３１が備えられている。
【００４７】
セキュリティ装置３１は、車内への人の侵入の有無を検知し、侵入があった場合に警報を発するという従来周知の構成である。即ち、セキュリティ装置３１は、図５に示すように、警報音を発する警報部（警報手段）３４と、記憶部３５と、車内に放射するための電波を発生する送信部（送信手段）３２と、放射された前記電波の反射波を受信する受信部（受信手段）３３と、制御部（制御手段）３６とを有する。制御部３６は、例えば、受信部３３にて受信された反射波の状態を記憶部３５に記憶させ、受信した反射波の状態を平常状態のものと比較することにより、車内への侵入の有無を判定し、侵入有りと判定したときに警報部３４を作動させる。
【００４８】
前記送信部３２が発生した電波は、図４に示す電波放射部２２から、図６に示すように全方向に放射される。なお、図６において、複数の直線の矢印は電波の放射方向を示している。上記のような電波の放射を行うために、電波放射部２２は車載用除菌イオン装置２１の円筒状筐体のほぼ全周に渡って形成されている。
【００４９】
本実施の形態の構成では、上記のように、車載用除菌イオン装置２１にセキュリティ装置３１を搭載していることにより、車内において車載用除菌イオン装置２１とセキュリティ装置３１とのそれぞれ専用の配置場所を確保する必要がない。したがって、車載用除菌イオン装置２１とセキュリティ装置３１とのそれぞれ専用の配置場所を確保するために車内スペースが犠牲になる事態や、それぞれの設置が困難になる事態を回避することができる。
【００５０】
また、車載用除菌イオン装置２１とセキュリティ装置３１との電源線やアース線等を共用できるので、両者を個々に設置する場合と比較して、配線作業の繁雑さや配線による外観の劣化を改善することができる。
【００５１】
なお、前記の実施の形態に示したように、車載用除菌イオン装置２１の複数台を接続ケーブル１２にて接続して設置する場合には、いずれかの車載用除菌イオン装置２１のみにセキュリティ装置３１が設けられていればよい。
【００５２】
〔実施の形態３〕
図７は、本実施の形態の車載用除菌イオン装置４１示す斜視図である。この車載用除菌イオン装置４１は、除菌に関する構成として前記車載用除菌イオン装置１１と同様の構成を有し、また、前記セキュリティ装置３１に代えて、図８に示すセキュリティ装置５１を備えている。
【００５３】
セキュリティ装置５１は、前記警報部３４に加えて威嚇点灯部（威嚇点灯手段）５２を備えている。この威嚇点灯部５２は、図７に示すように、車載用除菌イオン装置４１の筐体部の周壁における例えば電波放射部２２の上に設けられている。威嚇点灯部５２は、例えば複数のＬＥＤ５３が車載用除菌イオン装置４１の周方向に一列に並んだ構造である。本実施の形態において、ＬＥＤ５３は、ＬＥＤ５３は高輝度ＬＥＤからなり、７個を一組とする組が複数組配置されている。
【００５４】
セキュリティ装置５１の制御部３６は、車両への侵入無しと判定した平常時において、図９に示すように、例えば光が右から左、あるいは左から右へとゆっくりと流れるように、各ＬＥＤ５３を点滅させる。一方、侵入有りと判定した場合において、制御部３６は、警報部３４を作動させるとともに、威嚇点灯部５２の点滅パターンを平常時と変更し、侵入者に対して視覚的に威嚇するように点滅させる。この場合の点滅は、例えば各ＬＥＤ５３がランダムにかつ短時間に点滅を繰り返すといったものである。
【００５５】
上記のような構成では、警報部３４に加えて威嚇点灯部５２が作動するので、セキュリティ機能を高めることができる。また、威嚇点灯部５２は、車外からも確認可能であり、特に夜間においては高い効果を発揮する。なお、威嚇点灯部５２のＬＥＤ５３は、車載用除菌イオン装置４１の筐体におけるほぼ全周に設けられていてもよい。
【００５６】
なお、前記の実施の形態に示したように、車載用除菌イオン装置４１の複数台を接続ケーブル１２にて接続して設置する場合には、いずれかの車載用除菌イオン装置４１のみにセキュリティ装置５１が設けられていればよい。
【００５７】
〔実施の形態４〕
図１０は、本発明の実施のさらに他の形態の車載用除菌イオン装置６１を示す斜視図である。この車載用除菌イオン装置６１は、除菌に関する構成として前記車載用除菌イオン装置１１と同様の構成を有する。
【００５８】
この車載用除菌イオン装置６１は、ＡＣプラグとして可動型ＡＣプラグ６２を備えている。可動型ＡＣプラグ６２は車載用除菌イオン装置６１の周壁部に形成されたプラグ収納凹部６３に設けられており、このプラグ収納凹部６３に対して回転動作により出し入れ可能となっている。
【００５９】
可動型ＡＣプラグ６２は、図１１に示すように、２本の接続導体部６４およびこれら接続導体部６４を保持する絶縁体からなる導体保持部６５を有し、導体保持部６５を下にしてプラグ収納凹部６３に収納されている。可動型ＡＣプラグ６２は、導体保持部６５の下端部を中心として回転可能となっており、プラグ収納凹部６３に収まった収納状態（図１１の状態）と、プラグ収納凹部６３から前方に倒れ、接続導体部６４が車載用除菌イオン装置６１の周壁面に対してほぼ垂直な状態となる使用状態（図１２の状態）とに配することができる。
【００６０】
導体保持部６５の両側面にはそれぞれロック用突起部６５ａが形成されている。このロック用突起部６５ａは、可動型ＡＣプラグ６２を前記使用状態に配したときに、プラグ収納凹部６３から車載用除菌イオン装置６１の周壁面上に突出する。これにより、可動型ＡＣプラグ６２は前記使用状態に保持される。
【００６１】
可動型ＡＣプラグ６２は筐体内部に設けられた図示しない周知の電源回路、例えば内部の各手段に所定の直流電圧を与える整流変圧回路に接続されている。
【００６２】
上記の構成によれば、車載用除菌イオン装置６１は、車載用ではあるものの、可動型ＡＣプラグ６２を使用して家屋内でも使用可能である。この場合には、可動型ＡＣプラグ６２を使用状態に配して家屋内のＡＣコンセントに直接差し込むことができる。したがって、車載用除菌イオン装置６１は、家屋内においてＡＣコードを引き回すことなく、即ち特に設置場所をとらずに設置可能である。
【００６３】
また、可動型ＡＣプラグ６２は使用しない場合にプラグ収納凹部６３に収めることができるので、車載用除菌イオン装置６１では、外面に不要な突出を無くすことができる。
【００６４】
なお、可動型ＡＣプラグ６２をＡＣコンセントに長期間差し込んで使用している場合において、接続導体部６４へのほこり等の付着によるトラッキング現象を防止するために、図１２に示すように、可動型ＡＣプラグ６２にゴムキャップ６６を装着してもよい。
【００６５】
さらに、車載用除菌イオン装置６１は、図１３（ａ）（ｂ）に示すように、筐体の底部に乾電池収納部６８を設け、例えば乾電池６７が使用できるようにしてもよい。この場合には、場所を選ばず、また電源コートを引き回すことなく、車載用除菌イオン装置６１を使用可能となる。
【００６６】
〔実施の形態５〕
図１４は、本発明の実施のさらに他の形態の車載用除菌イオン装置７１を示す斜視図である。この車載用除菌イオン装置７１は、除菌に関する構成として前記車載用除菌イオン装置１１と同様の構成を有する。
【００６７】
車載用除菌イオン装置７１では、図１４に示すように、イオン量検知センサ５が筐体の周壁部に設けられている。このイオン量検知センサ５は、車載用除菌イオン装置７１の外部、即ち車載用除菌イオン装置７１が設けられている空間のイオン量を検出するものである。図１４に示すイオン量検知センサ５は、図２に示すイオン量検知センサ５に代えて設けられたもの、あるいは図２に示すイオン量検知センサ５と重複して設けられたものの何れであってもよい。前者の場合、イオン量制御ユニット４は筐体の周壁部に設けられたイオン量検知センサ５の検出結果のみに基づいてイオン発生部３を制御する一方、後者の場合、イオン量制御ユニット４は、筐体の周壁部に設けられたイオン量検知センサ５と、車載用除菌イオン装置７１の内部に設けられ、イオン発生部３からの発生イオン量を検出するイオン量検知センサ５の検出結果とに基づいて、それぞれ異なる制御を行うことができる。以下では、図１４に示すイオン量検知センサ５の検出結果に基づく制御について、図１５のフローチャートにより説明する。
【００６８】
図１５に示すように、車載用除菌イオン装置７１が作動すると、イオン発生部３（図２、図３参照）がイオンを発生し（Ｓ１）、それらイオンがイオン放出部７から車内に放出される。車内のイオン量はイオン量検知センサ５（図１４参照）にて検出され、その検出結果がイオン量制御ユニット４（図２、図３参照）に入力される。
【００６９】
イオン量制御ユニット４は、上記検出結果に基づいて車内のイオン量（＋イオン量、−イオン量）を求め（Ｓ２）、車内のイオン量が適正量以上であるか否かを判定する（Ｓ３）。なお、イオン量の適正量とはその空間（車内空間）を除菌するのに必要な量である。
【００７０】
上記イオン量が適正量であると、イオン発生パネル９（高圧発生装置８）に供給する電流値を現在値と同等もしくはそれ以下に補正し（Ｓ４）し、Ｓ２の処理に戻る。
【００７１】
一方、Ｓ３の判定において、上記イオン量が適正量未満であれば、イオン量制御ユニット４は、イオン発生パネル９（高圧発生装置８）高圧発生装置８に供給する電流値を現在値よりも大きい値に補正し（Ｓ５）し、Ｓ２の処理に戻る。
【００７２】
このような制御により、車内のイオン量は適正値に維持され、車内を適切に除菌することができる。
【００７３】
ここで、イオン発生量の設定に関し、例えばリラックスモード（除菌よりも乗員をリラックスさせることを優先したモード）では、−イオンが＋イオンよりも多めに放出されるようにする。また、除菌イオンモード（乗員をリラックスさせることよりも除菌を優先したモード）では、−イオンと＋イオンとがほぼ同量放出されるようにする。そこで、車載用除菌イオン装置７１では、切り替えスイッチにより、上記両モードを切り替えできるようにしてもよい。また、−イオンと＋イオンとの相対量の表示（どちらが多いかの表示）を何らかのモニター装置、例えばＬＥＤを使用したモニターランプによって行うようにしてもよい。
【００７４】
なお、−イオン量と＋イオン量との検出は、前述のように、イオンカウンタによって行うことができ、その検出結果に基づき、イオン量制御ユニット４は、高圧発生装置８に供給する電流量を制御することにより、イオン発生部３における−イオンと＋イオンとのそれぞれの発生量を制御することができる。
【００７５】
〔実施の形態６〕
図１６は、本発明の実施のさらに他の形態の車載用除菌イオン装置８１を示す斜視図である。この車載用除菌イオン装置８１は、除菌に関する構成として前記車載用除菌イオン装置１１と同様の構成を有する。
【００７６】
図１６に示すように、車載用除菌イオン装置８１は、筐体の周壁部に複数のＬＥＤからなるＬＥＤ電光部８２を備えている。このＬＥＤ電光部８２の表示動作を制御するために、車載用除菌イオン装置８１は図１７に示すように、表示制御部（制御手段）８３、入力部８４および記憶部８５を備えている。
【００７７】
記憶部８５は、ＬＥＤ電光部８２を種々の表示パターンにて表示させるための、各ＬＥＤについての点滅の制御情報を記憶している。即ち、記憶部８５は、ＬＥＤ電光部８２において、例えば、固定文字表示を行うための制御情報を記憶している。また、可変文字表示を行うための制御情報であって、デフォルト文字表示、任意文字表示、および文字スピード設定のための制御情報を記憶している。さらに、各表示においてオート照度コントロールのための情報を記憶している。したがって、表示制御部８３は、入力部８４からの指示入力に基づいて、記憶部８５が記憶している何れかの表示が行われるように、ＬＥＤ電光部８２の表示動作を制御する。ＬＥＤ電光部８２にて表示が行われる場合の手順（表示制御部８３での制御手順）を図１８に示す。
【００７８】
車載用除菌イオン装置８１では、上記のように、使用者が入力部８４（例えばスイッチ）によって選択した好みの表示をＬＥＤ電光部８２において行わせることができるので、車室内の雰囲気を快適なものとすることができる。また、夜間の駐車状態においては、ＬＥＤ電光部８２による所望の表示により、自分の車の所在が一目瞭然となる。
【００７９】
なお、ＬＥＤ電光部８２は、図４に示した威嚇点灯部５２を兼ねることもできる。
【００８０】
〔実施の形態７〕
図１９は、本発明の実施のさらに他の形態の車載用除菌イオン装置９１を示す斜視図である。この車載用除菌イオン装置９１は、除菌に関する構成として前記車載用除菌イオン装置１１と同様の構成を有する。
【００８１】
図１９に示すように、車載用除菌イオン装置９１は、筐体の周壁部にロゴ表示部（表示手段）９２を有している。このロゴ表示部９２は、図２０に示すように、例えば切り抜き文字をＥＬパネルをバックライトといして透過表示させるものである。ロゴ表示部９２を会社名などに設定すれば宣伝効果が得られる。なお、ロゴ表示部９２は、昼間は例えばミラー色としてもよい。
【００８２】
また、夜間においては、ロゴ表示部９２を点滅させることにより、侵入者に対する威嚇効果が得られ、セキュリティ機能も付与することができる。また、ＥＬパネルの発行色を好みの色に設定することにより、リラックス効果も得られる。なお、ＥＬパネルを点灯させる構成については従来周知の技術を利用可能である。
【００８３】
〔実施の形態８〕
図２１は、本発明の実施のさらに他の形態の車載用除菌イオン装置１０１を示す斜視図である。この車載用除菌イオン装置１０１は、除菌に関する構成として前記車載用除菌イオン装置１１と同様の構成を有する。
【００８４】
図２１に示すように、車載用除菌イオン装置１０１は、ドリンク容器１０２を載置可能な容器載置部１０３を上部に有し、この容器載置部１０３の下方位置における筐体の周壁部にイオン放出部１０４が形成されている。容器載置部１０３は、車載用除菌イオン装置１０１の下部の形状に対応した凹部形状となっている。イオン放出部１０４は前記イオン放出部７に代わるものである。
【００８５】
図２２には、車載用除菌イオン装置１０１の内部構造および容器載置部１０３の構造を示す。図２２に示すように、容器載置部１０３にはドリンクタイプ調整部１０５が設けられている。このドリンクタイプ調整部１０５は、容器載置部１０３内径よりも小さい径を有する円弧状の弾性部材からなる。
【００８６】
上記の構成により、車載用除菌イオン装置１０１では、車載用除菌イオン装置１０１を車内に設けられたドリンクホルダに配置した場合であっても、容器載置部１０３によってドリンク容器１０２の載置部を確保可能である。また、容器載置部１０３にその内径よりも小さい外径のドリンク容器１０２を配した場合であっても、ドリンクタイプ調整部１０５によってそのドリンク容器１０２を適切に保持し、固定することができる。
【００８７】
〔実施の形態９〕
図２３は、本発明の実施のさらに他の形態の車載用除菌イオン装置１１１を示す斜視図である。この車載用除菌イオン装置１１１は、除菌に関する構成として前記車載用除菌イオン装置１１と同様の構成を有する。
【００８８】
図２３に示すように、車載用除菌イオン装置１１１は、筐体の天壁部のほぼ中央部に、プラネタリウム投影レンズ部１１２を有し、周壁部に前記イオン放出部７に代わるイオン放出部１１３が形成されている。
【００８９】
車載用除菌イオン装置１１１は内部にプラネタリウム投影装置（図示せず）を備えている。このプラネタリウム投影装置は、従来周知の構成であり、図２４に示すように、前記プラネタリウム投影レンズ部１１２を通じて車内の天井１１４にプラネタリウムを投影するものである。
【００９０】
上記の構成によれば、車載用除菌イオン装置１１１は、単に車内を除菌するだけでなく、室内の空間を利用して星座を表示することができ、娯楽装置あるいは学習装置としても利用可能である。なお、車載用除菌イオン装置１１１に図１３に示した乾電池収納部６８を設けておくことにより、プラネタリウム投影装置を車外、例えばテント内でも使用可能であり、車載用除菌イオン装置１１１の有用性をさらに高めることができる。
【００９１】
〔実施の形態１０〕
図２５は、本発明の実施のさらに他の形態の車載用除菌イオン装置１２１を示す斜視図である。この車載用除菌イオン装置１２１は、除菌に関する構成として前記車載用除菌イオン装置１１と同様の構成を有する。
【００９２】
図２５に示すように、車載用除菌イオン装置１２１は、筐体の周壁部にメモリカード挿入部１２２および前記ＬＥＤ電光部８２を有している。メモリカード挿入部１２２は、図２６に示すように、複数種類のメモリカード（カード状記憶手段）を挿入可能な構成となっている。
【００９３】
車載用除菌イオン装置１２１は、図２７に示すように、図１７に示した、ＬＥＤ電光部８２の表示を制御する制御装置において、さらにメモリカード読取り部（読取り手段）１２３を備えている。このメモリカード読取り部１２３は、メモリカード挿入部１２２に挿入されたメモリカードが記憶するデータを読み取るものである。
【００９４】
メモリカード挿入部１２２に挿入されるメモリカードは、前記の実施の形態において記憶部８５が記憶していた、ＬＥＤ電光部８２を種々の表示パターンにて表示させるための、各ＬＥＤについての点滅の制御情報を記憶部８５に代わって記憶することができる。したがって、図２７に示した構成において、記憶部８５は表示制御部８３の作業領域として機能させるか、もしくは排除することができる。
【００９５】
上記の構成において、記憶部としてメモリカードを使用する場合の操作手順は図２８に示すとおりである。即ち、使用者がメモリカードのデータをパソコンにて編集し（Ｓ２１）、そのメモリカードを車載用除菌イオン装置１２１のメモリカード挿入部１２２に挿入する（Ｓ２２）。このメモリカードはメモリカード読取り部１２３にて読み込まれ、そのデータに基づいて表示制御部８３がＬＥＤ電光部８２の表示制御を行う（Ｓ２３〜Ｓ２６）。
【００９６】
上記の構成では、ＬＥＤ電光部８２での表示情報を使用者がメモリカードおよびパソコンを使用して編集することができるので、ＬＥＤ電光部８２において使用者が所望の表示をさらに適切に行うことができる。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９８】
本発明の車載用除菌イオン装置は、備えている種々の機能により、車内や家屋内での除菌は勿論、車内や家屋内および車外や屋外において種々の用途に利用可能である。
【図面の簡単な説明】
【００９９】
【図１】本発明の実施の一形態における車載用除菌イオン装置の使用状態を示す斜視図である。
【図２】図１に示した車載用除菌イオン装置の内部構造を示す概略の斜視図である。
【図３】図１に示した車載用除菌イオン装置の電気系統の構成を示すブロック図である。
【図４】本発明の実施の他の形態における車載用除菌イオン装置を示す斜視図である。
【図５】図４に示した車載用除菌イオン装置に備えられているセキュリティ装置の機能構成を示すブロック図である。
【図６】図５に示したセキュリティ装置による車両の車内での電波の放射状態を示す平面図である。
【図７】本発明の実施のさらに他の形態における車載用除菌イオン装置を示す斜視図である。
【図８】図７に示した車載用除菌イオン装置に備えられているセキュリティ装置の機能構成を示すブロック図である。
【図９】図７に示した威嚇点灯部におけるＬＥＤの点滅動作の一例を示す斜視図である。
【図１０】本発明の実施のさらに他の形態における車載用除菌イオン装置を示す斜視図である。
【図１１】図１０に示した可動型ＡＣプラグが収納状態である場合の、可動型ＡＣプラグ付近の構造を詳細に示す要部の斜視図である。
【図１２】図１０に示した可動型ＡＣプラグが使用状態であり、かつゴムキャップを備えている場合の、可動型ＡＣプラグ付近の構造を詳細に示す要部の斜視図である。
【図１３】図１３（ａ）は図１０に示した車載用除菌イオン装置の内部に乾電池収納部を備えた場合の車載用除菌イオン装置の斜視図、図１３（ｂ）は図１３（ａ）に示した車載用除菌イオン装置の内部構造を示す平面図である。
【図１４】本発明の実施のさらに他の形態における車載用除菌イオン装置を示す斜視図である。
【図１５】図１４に示した車載用除菌イオン装置におけるイオン発生量の制御動作を示すフローチャートである。
【図１６】本発明の実施のさらに他の形態における車載用除菌イオン装置を示す斜視図である。
【図１７】図１６に示した車載用除菌イオン装置が備えるＬＥＤ電光部の表示を制御する制御装置の構成を示す機能ブロック図である。
【図１８】図１６に示したＬＥＤ電光部にて表示が行われる場合の制御手順の説明図である。
【図１９】本発明の実施のさらに他の形態における車載用除菌イオン装置を示す斜視図である。
【図２０】図１９に示したロゴ表示部の拡大図である。
【図２１】本発明の実施のさらに他の形態における車載用除菌イオン装置を示す斜視図である。
【図２２】図２１に示した車載用除菌イオン装置の内部構造および容器載置部の構造を示す斜視図である。
【図２３】本発明の実施のさらに他の形態における車載用除菌イオン装置を示す斜視図である。
【図２４】図２３に示した車載用除菌イオン装置が備えるプラネタリウム投影装置の使用例を示す説明図である。
【図２５】本発明の実施のさらに他の形態における車載用除菌イオン装置を示す斜視図である。
【図２６】図２３に示したメモリカード挿入部の構造を詳細に示す要部の斜視図である。
【図２７】図２５に示した車載用除菌イオン装置が備えるＬＥＤ電光部の表示を制御する制御装置の構成を示す機能ブロック図である。
【図２８】図２５に示した車載用除菌イオン装置において、メモリカードが記憶するデータに基づいてＬＥＤ電光部の表示を行わせる場合の処理手順を示すフローチャートである。
【図２９】従来の車載用除菌イオン装置の構造を示す斜視図である。
【符号の説明】
【０１００】
１    ＤＣ供給部（雌雄コネクタ）
２    ファンモータ
３    イオン発生部（除菌手段）
４    イオン量制御ユニット（制御手段）
５    イオン量検知センサ（イオン量検出手段）
６    イオン
7,104,113 イオン放出部
８    高圧発生装置
９    イオン発生パネル
11,21,41,61,71,81,91,101,111,121  車載用除菌イオン装置
１２    接続ケーブル（電源供給線）
２２    電波放射部
31,51     セキュリティ装置
３２    送信部（送信手段）
３３    受信部（受信手段）
３４    警報部（警報手段）
35,85     記憶部
３６    制御部（制御手段）
５２    威嚇点灯部（威嚇点灯手段）
６２    可動型ＡＣプラグ
６３    プラグ収納凹部
６６    ゴムキャップ
６８    電池収納部
８２    ＬＥＤ電光部
８３    表示制御部（制御手段）
８４    入力部
９２    ロゴ表示部（表示手段）
１０２    ドリンク容器
１０３    容器載置部
１０５    ドリンクタイプ調整部
１１２    プラネタリウム投影レンズ部
１２２    メモリカード挿入部
１２３    メモリカード読取り部（読取り手段）
【図１】
2005296287.tif 000003
【図２】
2005296287.tif 000004
【図３】
2005296287.tif 000005
【図４】
2005296287.tif 000006
【図５】
2005296287.tif 000007
【図６】
2005296287.tif 000008
【図７】
2005296287.tif 000009
【図８】
2005296287.tif 000010
【図９】
2005296287.tif 000011
【図１０】
2005296287.tif 000012
【図１１】
2005296287.tif 000013
【図１２】
2005296287.tif 000014
【図１３】
2005296287.tif 000015
【図１４】
2005296287.tif 000016
【図１５】
2005296287.tif 000017
【図１６】
2005296287.tif 000018
【図１７】
2005296287.tif 000019
【図１８】
2005296287.tif 000020
【図１９】
2005296287.tif 000021
【図２０】
2005296287.tif 000022
【図２１】
2005296287.tif 000023
【図２２】
2005296287.tif 000024
【図２３】
2005296287.tif 000025
【図２４】
2005296287.tif 000026
【図２５】
2005296287.tif 000027
【図２６】
2005296287.tif 000028
【図２７】
2005296287.tif 000029
【図２８】
2005296287.tif 000030
【図２９】
2005296287.tif 000031